(57)【要約】【課題】  より耐圧強度を高めた組立品を提供することを目的とする。【解決手段】  折り畳み自在で平坦かつ方形の、第１半製品及び第２半製品から組み立てられた組立品であって、第１半製品の第１支柱部は、物体の運搬において使用する運搬用差込口を形成可能に構成され、折り畳まれた第２半製品には、第３パネル部及び第４パネル部が有する孔部が隣接することによりリブ差込口が形成され、折り畳まれた第１支柱部及び第２支柱部には、それぞれ切込部を有するリブが形成され、前記運搬差込口の長手方向の長さは、第１支柱部の長手方向の長さよりも短いものであり、第１支柱部及び第２支柱部に形成されたリブ同士を直交させるように、第１半製品及び第２半製品を対向させ、第１半製品に形成されたリブを該リブ差込口に差込み、リブが有する切込部を互いに係合させることで組み立てられた組立品。【選択図】    図１
2020111349.tif 000002
【特許請求の範囲】
【請求項１】
折り畳み自在で平坦かつ方形の、第１半製品及び第２半製品から組み立てられた組立品であって、
第１半製品は、第１パネル部、第１支柱部、及び第２パネル部が長手方向に並列に配置されたものであり、
第２半製品は、第３パネル部、第２支柱部、及び第４パネル部が長手方向に並列に配置されたものであり、
第１支柱部は、物体の運搬において使用する運搬用差込口を形成可能に構成され、
第３パネル部及び第４パネル部は、少なくとも１つの孔部を有し、
該孔部は、長手方向に沿って形成されており、孔部の端部は、第２支柱部にまで到達するものであり、
第１半製品は、第１パネル部及び第２パネル部が隣接するように、第１支柱部が長手方向に垂直な短手方向に沿って折り畳まれており、
第２半製品は、第３パネル部及び第４パネル部が隣接するように、第２支柱部が長手方向に垂直な短手方向に沿って折り畳まれており、
折り畳まれた第２半製品には、第３パネル部及び第４パネル部が有する孔部が隣接することにより、少なくとも１つのリブ差込口が形成され、
折り畳まれた第１支柱部及び第２支柱部には、それぞれ少なくとも１つの切込部を有するリブが形成され、
前記運搬差込口の長手方向の長さは、第１支柱部の長手方向の長さよりも短いものであり、
第１支柱部及び第２支柱部に形成されたリブ同士を直交させるように、第１半製品及び第２半製品を対向させ、第１半製品に形成されたリブを該リブ差込口に差込み、リブが有する切込部を互いに係合させることで組み立てられた組立品。
【請求項２】
第１支柱部の長手方向の長さに対する運搬差込口の長手方向の長さの比である、（運搬差込口の長さ）／（第１支柱部の長さ）が０．６〜０．８である、請求項１に記載の組立品。
【請求項３】
第１半製品は、さらに、第１端部が長手方向に並列に配置されており、
第１端部は、折り畳まれて形成される突片部を有し、
第３パネル部及び／又は第４パネル部は、少なくとも１つの突片差込口を有し、
該突片部を突片差込口に差込み、係止することで組み立てられた、請求項１又は２に記載の組立品。
【請求項４】
折り畳み自在で平坦かつ方形の、組立品を構成し得る板状部材であって、
板状部材は、組立品を組み立てた際に物体の運搬に使用する第１パネル部、組立品を組み立てた際に組立品の支柱となる第１支柱部、及び組立品を組み立てた際に物体の運搬に使用する第２パネル部が長手方向に並列に配置されたものであり、
第１支柱部は、物体の運搬において使用する運搬用差込口を形成可能に構成され、
板状部材は、第１パネル部及び第２パネル部が隣接するように、第１支柱部が長手方向に垂直な短手方向に沿って折り畳まれており、
折り畳まれた第１支柱部には、少なくとも１つの切込部を有するリブが形成され、
前記運搬差込口の長手方向の長さは、第１支柱部の長手方向の長さよりも短いものであり、
形成されたリブを、他の板状部材に形成されたリブと直交させるように対向させ、リブが有する切込部を係合させることで組立品を構成し得る板状部材。
【請求項５】
折り畳み自在で平坦かつ方形の、組立品を構成し得る板状部材であって、
板状部材は、組立品を組み立てた際に物体の運搬に使用する第３パネル部、組立品を組み立てた際に組立品の支柱となる第２支柱部、及び組立品を組み立てた際に物体の運搬に使用する第４パネル部が長手方向に並列に配置されたものであり、
第３パネル部及び第４パネル部は、少なくとも１つの孔部を有し、
板状部材は、第３パネル部及び第４パネル部が隣接するように、第２支柱部が長手方向に垂直な短手方向に沿って折り畳まれており、
該孔部は、長手方向に沿って形成されており、孔部の端部は、第２支柱部にまで到達するものであり、
折り畳まれた第２半製品には、第３パネル部及び第４パネル部が有する孔部が隣接することにより、少なくとも１つのリブ差込口が形成され、
折り畳まれた第２支柱部には、少なくとも１つの切込部を有するリブが形成され、
形成されたリブを、他の板状部材に形成されたリブと直交させるように対向させ、リブが有する切込部を係合させることで組立品を構成し得る板状部材。
【発明の詳細な説明】
【技術分野】
【０００１】
本発明は、組立品、及び、組立品を構成する板状部材に関する。
【背景技術】
【０００２】
従来、折り畳み可能な２つの半製品を組み合わせた、例えば容器や箱のような波形構造がある（例えば、特許文献１参照）。特許文献１には、パレット上部とパレット底部とを備える２つの平らな半完成品から生成される段ボール板紙パレットが記載されている。
【先行技術文献】
【特許文献】
【０００３】
【特許文献１】特表２００２−５３９０４９号公報
【発明の概要】
【発明が解決しようとする課題】
【０００４】
しかし、特許文献１の技術は、リブが形成される部分以外の耐圧強度について、さらなる改善の余地があった。
【０００５】
本発明の少なくとも１つの実施の形態の目的は、より耐圧強度を高めた組立品を提供することを目的とする。
【課題を解決するための手段】
【０００６】
非限定的な観点によると、本発明に係る組立品は、折り畳み自在で平坦かつ方形の、第１半製品及び第２半製品から組み立てられた組立品であって、第１半製品は、第１パネル部、第１支柱部、及び第２パネル部が長手方向に並列に配置されたものであり、第２半製品は、第３パネル部、第２支柱部、及び第４パネル部が長手方向に並列に配置されたものであり、第１支柱部は、物体の運搬において使用する運搬用差込口を形成可能に構成され、第３パネル部及び第４パネル部は、少なくとも１つの孔部を有し、該孔部は、長手方向に沿って形成されており、孔部の端部は、第２支柱部にまで到達するものであり、第１半製品は、第１パネル部及び第２パネル部が隣接するように、第１支柱部が長手方向に垂直な短手方向に沿って折り畳まれており、第２半製品は、第３パネル部及び第４パネル部が隣接するように、第２支柱部が長手方向に垂直な短手方向に沿って折り畳まれており、折り畳まれた第２半製品には、第３パネル部及び第４パネル部が有する孔部が隣接することにより、少なくとも１つのリブ差込口が形成され、折り畳まれた第１支柱部及び第２支柱部には、それぞれ少なくとも１つの切込部を有するリブが形成され、前記運搬差込口の長手方向の長さは、第１支柱部の長手方向の長さよりも短いものであり、第１支柱部及び第２支柱部に形成されたリブ同士を直交させるように、第１半製品及び第２半製品を対向させ、第１半製品に形成されたリブを該リブ差込口に差込み、リブが有する切込部を互いに係合させることで組み立てられた組立品である。
【０００７】
非限定的な観点によると、本発明に係る板状部材は、折り畳み自在で平坦かつ方形の、組立品を構成し得る板状部材であって、板状部材は、組立品を組み立てた際に物体の運搬に使用する第１パネル部、組立品を組み立てた際に組立品の支柱となる第１支柱部、及び組立品を組み立てた際に物体の運搬に使用する第２パネル部が長手方向に並列に配置されたものであり、第１支柱部は、物体の運搬において使用する運搬用差込口を形成可能に構成され、板状部材は、第１パネル部及び第２パネル部が隣接するように、第１支柱部が長手方向に垂直な短手方向に沿って折り畳まれており、折り畳まれた第１支柱部には、少なくとも１つの切込部を有するリブが形成され、前記運搬差込口の長手方向の長さは、第１支柱部の長手方向の長さよりも短いものであり、形成されたリブを、他の板状部材に形成されたリブと直交させるように対向させ、リブが有する切込部を係合させることで組立品を構成し得る板状部材である。
【０００８】
非限定的な観点によると、本発明に係る板状部材は、折り畳み自在で平坦かつ方形の、組立品を構成し得る板状部材であって、板状部材は、組立品を組み立てた際に物体の運搬に使用する第３パネル部、組立品を組み立てた際に組立品の支柱となる第２支柱部、及び組立品を組み立てた際に物体の運搬に使用する第４パネル部が長手方向に並列に配置されたものであり、第３パネル部及び第４パネル部は、少なくとも１つの孔部を有し、板状部材は、第３パネル部及び第４パネル部が隣接するように、第２支柱部が長手方向に垂直な短手方向に沿って折り畳まれており、該孔部は、長手方向に沿って形成されており、孔部の端部は、第２支柱部にまで到達するものであり、折り畳まれた第２半製品には、第３パネル部及び第４パネル部が有する孔部が隣接することにより、少なくとも１つのリブ差込口が形成され、折り畳まれた第２支柱部には、少なくとも１つの切込部を有するリブが形成され、形成されたリブを、他の板状部材に形成されたリブと直交させるように対向させ、リブが有する切込部を係合させることで組立品を構成し得る板状部材である。
【発明の効果】
【０００９】
本発明の各実施形態により１または２以上の不足が解決される。
【図面の簡単な説明】
【００１０】
【図１】本発明の実施の形態の少なくとも１つに対応する、組み立てられた組立品を示す図である。
【図２】本発明の実施の形態の少なくとも１つに対応する、組み立てられた組立品を示す図である。
【図３】本発明の実施の形態の少なくとも１つに対応する、第１半製品を示す図である。
【図４】本発明の実施の形態の少なくとも１つに対応する、第２半製品を示す図である。
【図５】本発明の実施の形態の少なくとも１つに対応する、第１半製品及び第２半製品の組み合わせを説明する図である。
【図６】本発明の実施の形態の少なくとも１つに対応する、第１半製品及び第２半製品の組み合わせを説明する図である。
【図７】本発明の実施の形態の少なくとも１つに対応する、第１半製品及び第２半製品が有する切込部の係合を説明する図である。
【図８】本発明の実施の形態の少なくとも１つに対応する、突片部の差込みを説明する図である。
【発明を実施するための形態】
【００１１】
以下、添付図面を参照して、本発明の実施の形態について説明する。以下、効果に関する記載は、本発明の実施の形態の効果の一側面であり、ここに記載するものに限定されない。
【００１２】
本発明を適用することができる組立品としては、２つの板状部材を組み合わせることで組み立てられるものであれば、特に限定されない。本発明を適用することができる組立品としては、例えば、パレットをあげることができる。
【００１３】
図１は、本発明の実施の形態の少なくとも１つに対応する、組み立てられた組立品を示す図である。組立品１０は、第１の部材と第２の部材とから構成される。より好適には、それぞれの部材は、折り畳み自在な、板状の第１半製品１００及び第２半製品２００を折り畳むことで形成される。第１半製品１００及び第２半製品２００は、波形板紙で形成してもよいし、折り畳み自在な樹脂で形成してもよい。
【００１４】
図２は、本発明の実施の形態の少なくとも１つに対応する、組み立てられた組立品を示す図である。組立品１０は、図示するように、複数の支柱６０が直交するように形成される。支柱６０は、組立品１０の面に戴置された物品を支持する機能を有する。
【００１５】
図では縦方向と横方向のそれぞれに４本ずつの支柱が等間隔で形成されるが、支柱の本数は限定されるものではなく、縦方向と横方向のそれぞれ１本ずつの支柱が直交するものであってもよい。後述するが、一方向の支柱には、直線の板状ではなく、一部が削られた凹み（以下、運搬用差込口ともいう）が設けられている。
【００１６】
従来のパレットは、使用し続けることが前提だったため、物品を運搬した後もパレットだけを搬送しなければならなかった。本発明の実施の形態の少なくとも１つに対応する組立品は、第１半製品１００及び第２半製品２００が波形板紙の平坦なシート（例えば、段ボール等）で形成された場合には、組立品の耐圧強度を向上させることができ、例えば、物品を移動するパレットとして使用することができる。組立品の使用後に、分解することで容易に組立品を廃棄することが可能である。使い捨て可能なパレットであれば、再度出荷元にパレットを搬送して戻す必要がなく、一方通行の運搬が可能となるため、経済的にメリットがある。
【００１７】
また、第１半製品１００及び第２半製品２００は、組立品の組み立てを容易にするために、折り畳む部分に切込み線が引かれ、不要な部分は予め打ち抜かれている、又は切り取られていることが好ましい。
【００１８】
本発明の実施の形態の１つに対応する組立品は、第１半製品及び第２半製品の折り畳み、第１半製品と第２半製品との係合、及び、突片部の折り畳みの３つの工程により組み立てられる。
【００１９】
図３は、本発明の実施の形態の少なくとも１つに対応する、第１半製品を示す図である。第１半製品１００は、端部２０ａ、２０ｂ、支柱部３０ａ、３０ｂ、３０ｃ、３０ｄ、パネル部４０ａ、４０ｂ、及び４０ｃを含む。図示するように、端部、支柱部、及びパネル部はそれぞれ、第１半製品の長手方向に並列に配置されている。
【００２０】
端部２０ａは、第１半製品の幅方向を長手方向とする長方形状を有するものである。端部２０ａには、他の半製品と組み合わせる際に折り畳んで用いる突片部３１ａ、３１ｂ、及び３１ｃがそれぞれ設けられている。突片部３１ａは、端部２０ａの長手方向の一端に、突片部３１ｂは端部２０ａの長手方向の略中央近辺に、突片部３１ｃは突片部３１ａが位置する一端とは逆方向の一端に設けられている。
【００２１】
端部２０ｂは、第１半製品の幅方向を長手方向とする長方形状を有するものである。端部２０ｂには、他の半製品と組み合わせる際に折り畳んで用いる突片部３１ｄ、３１ｅ、及び３１ｆがそれぞれ設けられている。突片部３１ｄは、端部２０ｂの長手方向の一端に、突片部３１ｅは、端部２０ｂの長手方向の略中央近辺に、突片部３１ｆは、突片部３１ｄが位置する一端とは逆方向の一端に設けられている。
【００２２】
支柱部３０ａは、第１半製品の幅方向を長手方向とする長方形状を有するものである。サイド支柱６１ａは支柱部３０ａの長手方向の一端に、サイド支柱６１ｂは他の長手方向の一端に、中央支柱６２ａは支柱部３０ａの長手方向の略中央近辺に、それぞれ設けられている。
【００２３】
サイド支柱６１ａの略中央近辺には、切込部５１ａが支柱部３０ａの短手方向に沿って設けられている。切込部５１ａは他の半製品と係合させる際に用いられる。中央支柱６２ａの略中央近辺には、切込部５１ｂ及び５１ｃが支柱部３０ａの短手方向に沿って並列に設けられている。サイド支柱６１ｂの略中央近辺には、切込部５１ｄが支柱部３０ａの短手方向に沿って設けられている。切込部５１ａ、５１ｂ、５１ｃ、及び５１ｄは、それぞれ並列に設けられることがより好ましい。
【００２４】
サイド支柱６１ａ及び中央支柱６２ａの間には、物体の運搬において使用する運搬用差込口５２ａが設けられる。中央支柱６２ａ及びサイド支柱６１ｂの間には、物体の運搬において使用する運搬用差込口５２ｂが設けられる。
【００２５】
支柱部３０ｂは、第１半製品の幅方向を長手方向とする長方形状を有するものである。サイド支柱６１ｃは支柱部３０ａの長手方向の一端に、サイド支柱６１ｄは他の長手方向の一端に、中央支柱６２ｂは支柱部３０ａの長手方向の略中央近辺に、それぞれ設けられている。
【００２６】
サイド支柱６１ｃの略中央近辺には、切込部５１ｅが支柱部３０ａの短手方向に沿って設けられている。切込部５１ｅは他の半製品と係合させる際に用いられる。中央支柱６２ｂの略中央近辺には、切込部５１ｆ及び５１ｇが、支柱部３０ｂの短手方向に沿って並列に設けられている。サイド支柱６１ｄの略中央近辺には、切込部５１ｈが、支柱部３０ｂの短手方向に沿って設けられている。切込部５１ｅ、５１ｆ、５１ｇ、及び５１ｈは、それぞれ並列に設けられることがより好ましい。
【００２７】
サイド支柱６１ｃ及び中央支柱６２ｂの間には、物体の運搬において使用する運搬用差込口５２ｃが設けられる。中央支柱６２ｂ及びサイド支柱６１ｄの間には、物体の運搬において使用する運搬用差込口５２ｄが設けられる。
【００２８】
支柱部３０ｃは、第１半製品の幅方向を長手方向とする長方形状を有するものである。サイド支柱６１ｅは支柱部３０ａの長手方向の一端に、サイド支柱６１ｆは他の長手方向の一端に、中央支柱６２ｃは支柱部３０ａの長手方向の略中央近辺に、それぞれ設けられている。
【００２９】
サイド支柱６１ｅの略中央近辺には、切込部５１ｉが支柱部３０ｃの短手方向に沿って設けられている。切込部５１ｉは他の半製品と係合させる際に用いられる。中央支柱６２ｃの略中央近辺には、切込部５１ｊ及び５１ｋが、支柱部３０ｃの短手方向に沿って並列に設けられている。サイド支柱６１ｆの略中央近辺には、切込部５１ｍが、支柱部３０ｃの短手方向に沿って設けられている。切込部５１ｉ、５１ｊ、５１ｋ、及び５１ｍは、それぞれ並列に設けられることがより好ましい。
【００３０】
サイド支柱６１ｅ及び中央支柱６２ｃの間には、物体の運搬において使用する運搬用差込口５２ｅが設けられる。中央支柱６２ｃ及びサイド支柱６１ｆの間には、物体の運搬において使用する運搬用差込口５２ｆが設けられる。
【００３１】
支柱部３０ｄは、第１半製品の幅方向を長手方向とする長方形状を有するものである。サイド支柱６１ｇは支柱部３０ｄの長手方向の一端に、サイド支柱６１ｈは他の長手方向の一端に、中央支柱６２ｄは支柱部３０ｄの長手方向の略中央近辺に、それぞれ設けられている。
【００３２】
サイド支柱６１ｇの略中央近辺には、切込部５１ｎが支柱部３０ｄの短手方向に沿って設けられている。切込部５１ｎは、他の半製品と係合させる際に用いられる。中央支柱６２ｄの略中央近辺には、切込部５１ｐ及び５１ｑが、支柱部３０ｄの短手方向に沿って並列に設けられている。サイド支柱６１ｈの略中央近辺には、切込部５１ｒが、支柱部３０ｄの短手方向に沿って設けられている。切込部５１ｎ、５１ｐ、５１ｑ、及び５１ｒは、それぞれ並列に設けられることがより好ましい。
【００３３】
サイド支柱６１ｇ及び中央支柱６２ｄの間には、物体の運搬において使用する運搬用差込口５２ｇが設けられる。中央支柱６２ｄ及びサイド支柱６１ｈの間には、物体の運搬において使用する運搬用差込口５２ｈが設けられる。
【００３４】
支柱部３０ａ、３０ｂ、３０ｃ、３０ｄの長手方向の長さは、一例として、端部２０ａ、２０ｂ、パネル部４０ａ、４０ｂ、及び４０ｃの長手方向の長さより短いが、これに限定されない。つまり、支柱部３０ａ、３０ｂ、３０ｃ、３０ｄの長手方向の長さが、パネル部４０等の長手方向の長さと同じ長さであってもよいし、パネル部４０等の長手方向の長さより長くてもよい。
【００３５】
支柱部３０には、サイド支柱６１ａ初めとする列と、中央支柱６２ａを初めとする列と、サイド支柱６１ｂを初めとする列との３列が存在するが、本発明はこれに限定されない。すなわち、１列以上あればよく、必要な強度に応じて適宜設計を変更することができる。
【００３６】
運搬用差込口５２は、一例として、１つの支柱部３０に対して２つ存在するが、本発明はこれに限定されない。すなわち、運搬に用いるための口が１以上存在すれば足り得る。
【００３７】
図４は、本発明の実施の形態の少なくとも１つに対応する、第２半製品を示す図である。第２半製品２００は、端部１２０ａ、１２０ｂ、支柱部１３０ａ、１３０ｂ、及び、パネル部１４０を含む。図示するように、端部、支柱部、及びパネル部はそれぞれ、第２半製品の長手方向に並列に配置されている。
【００３８】
端部１２０ａは、第２半製品の幅方向を長手方向とする長方形状を有するものである。端部１２０ａには、端部１２０ａの長手方向の一端に、他の半製品が有する突片部を差し込み可能な突片差込口１１０ａが、他の長手方向の一端に突片差込部１１０ｂが、それぞれ設けられている。
【００３９】
端部１２０ｂは、第２半製品の幅方向を長手方向とする長方形状を有するものである。端部１２０ｂには、端部１２０ｂの長手方向の一端に、他の半製品が有する突片部を差し込み可能な突片差込口１１０ｅが、他の長手方向の一端に突片差込部１１０ｆが、それぞれ設けられている。
【００４０】
支柱部１３０ａは、第２半製品の幅方向を長手方向とする長方形状を有するものである。サイド支柱１６１ａは支柱部１３０ａの長手方向の一端に、サイド支柱１６１ｂは他の長手方向の一端に、第２中央支柱１６３ａは支柱部１３０ａの長手方向の略中央近辺に、第１中央支柱１６２ａはサイド支柱１６１ａ及び第２中央支柱１６３ａの間に、第３中央支柱１６４ａは第２中央支柱１６３ａ及びサイド支柱１６１ｂの間に、それぞれ設けられている。
【００４１】
第２半製品には、孔部１５０ａが、端部１２０ａ及び支柱部１３０ａをまたぐように、かつ、サイド支柱１６１ａ及び第１中央支柱１６２ａの間に設けられる。孔部１５０ｂが、第１中央支柱１６２ａ及び第２中央支柱１６３ａの間に、孔部１５０ｃが第２中央支柱１６３ａ及び第３中央支柱１６４ａの間に、孔部１５０ｄが第３中央支柱１６４ａ及びサイド支柱１６１ｂの間に、それぞれが端部１２０ａ及び支柱部１３０ａをまたぐように設けられる。孔部１５０ａ、孔部１５０ｂ、孔部１５０ｃ、及び孔部１５０ｄは、それぞれ並列に設けられることがより好ましい。
【００４２】
パネル部１４０ａは、第２半製品の幅方向を長手方向とする長方形状を有するものである。孔部１５０ｅはパネル部１４０ａの長手方向の一端に、孔部１５０ｈは他の長手方向の一端に、それぞれ設けられる。孔部１５０ｅ及び孔部１５０ｈの間に、孔部１５０ｆ及び孔部１５０ｇがそれぞれ設けられる。
【００４３】
支柱部１３０ｂは、第２半製品の幅方向を長手方向とする長方形状を有するものである。サイド支柱１６１ｃは支柱部１３０ｂの長手方向の一端に、サイド支柱１６１ｄは他の長手方向の一端に、第２中央支柱１６３ｂは支柱部１３０ｂの長手方向の略中央近辺に、第１中央支柱１６２ｂがサイド支柱１６１ｃ及び第２中央支柱１６３ｂの間に、第３中央支柱１６４ｂは第２中央支柱１６３ｂ及びサイド支柱１６１ｄの間に、それぞれ設けられている。
【００４４】
第２半製品には、孔部１５０ｅが、支柱部１３０ａ、パネル部１４０ａ、及び支柱部１３０ｂをまたぐように、サイド支柱１６１ａ及び第１中央支柱１６２ａの間、かつ、サイド支柱１６１ｃ及び第１中央支柱１６２ｂの間に設けられる。孔部１５０ｆが、第１中央支柱１６２ａ及び第２中央支柱１６３ａの間、かつ、第１中央支柱１６２ｂ及び第２中央支柱１６３ｂの間に設けられる。孔部１５０ｇが、第２中央支柱１６３ａ及び第３中央支柱１６４ａの間、かつ、第２中央支柱１６３ｂ及び第３中央支柱１６４ｂの間に設けられる。孔部１５０ｈが、第３中央支柱１６４ａ及びサイド支柱１６１ｂの間、かつ、第３中央支柱１６４ｂ及びサイド支柱１６１ｃの間に設けられる。孔部１５０ｅ、孔部１５０ｆ、孔部１５０ｇ、及び孔部１５０ｈは、それぞれ並列に設けられることがより好ましい。
【００４５】
パネル部１４０ｂは、第２半製品の幅方向を長手方向とする長方形状を有するものである。パネル部１４０ｂの長手方向の一端に、他の半製品が有する突片部を差し込み可能な突片差込口１１０ｃが、他の長手方向の一端に突片差込口１１０ｄが、それぞれ設けられる。また、パネル部１４０ｂの長手方向の一端に孔部１５０ｉが、他の長手方向の一端に孔部１５０ｍが、それぞれ設けられる。さらに、孔部１５０ｉ及び孔部１５０ｍの間に、孔部１５０ｊ及び孔部１５０ｋがそれぞれ設けられる。
【００４６】
支柱部１３０ｃは、第２半製品の幅方向を長手方向とする長方形状を有するものである。サイド支柱１６１ｅは支柱部１３０ｃの長手方向の一端に、サイド支柱１６１ｆは他の長手方向の一端に、第２中央支柱１６３ｃは支柱部１３０ｃの長手方向の略中央近辺に、第１中央支柱１６２ｃはサイド支柱１６１ｅ及び第２中央支柱１６３ｃの間に、第３中央支柱１６４ｃは第２中央支柱１６３ｃ及びサイド支柱１６１ｆの間に、それぞれ設けられている。
【００４７】
第２半製品には、孔部１５０ｉが、支柱部１３０ｂ、パネル部１４０ｂ、及び支柱部１３０ｃをまたぐように、サイド支柱１６１ｃ及び第１中央支柱１６２ｂの間、かつ、サイド支柱１６１ｅ及び第１中央支柱１６２ｃの間に設けられる。孔部１５０ｊが、第１中央支柱１６２ｂ及び第２中央支柱１６３ｂの間、かつ、第１中央支柱１６２ｃ及び第２中央支柱１６３ｃの間に設けられる。孔部１５０ｋが、第２中央支柱１６３ｂ及び第３中央支柱１６４ｂの間、かつ、第２中央支柱１６３ｃ及び第３中央支柱１６４ｃの間に設けられる。孔部１５０ｍが、第３中央支柱１６４ｂ及びサイド支柱１６１ｄの間、かつ、第３中央支柱１６４ｃ及びサイド支柱１６１ｄの間に設けられる。孔部１５０ｉ、孔部１５０ｊ、孔部１５０ｋ、及び孔部１５０ｍは、それぞれ並列に設けられることがより好ましい。
【００４８】
パネル部１４０ｃは、第２半製品の幅方向を長手方向とする長方形状を有するものである。孔部１５０ｎはパネル部１４０ｃの長手方向の一端に、孔部１５０ｒは他の長手方向の一端に、それぞれ設けられる。さらに、孔部１５０ｎ及び孔部１５０ｒの間に、孔部１５０ｐ及び孔部１５０ｑがそれぞれ設けられる。
【００４９】
支柱部１３０ｄは、第２半製品の幅方向を長手方向とする長方形状を有するものである。サイド支柱１６１ｇは支柱部１３０ｄの長手方向の一端に、サイド支柱１６１ｈは他の長手方向の一端に、第２中央支柱１６３ｄは支柱部１３０ｄの長手方向の略中央近辺に、第１中央支柱１６２ｄはサイド支柱１６１ｇ及び第２中央支柱１６３ｄの間に、第３中央支柱１６４ｄは第２中央支柱１６３ｄ及びサイド支柱１６１ｈの間に、それぞれ設けられている。
【００５０】
第２半製品には、孔部１５０ｓが、支柱部１３０ｄ及び端部１２０ｂをまたぐように、かつ、サイド支柱１６１ｇ及び第１中央支柱１６２ｄの間に設けられる。孔部１５０ｔが、第１中央支柱１６２ｄ及び第２中央支柱１６３ｄの間に、孔部１５０ｕが、第２中央支柱１６３ｄ及び第３中央支柱１６４ｄの間に、孔部１５０ｖが、第３中央支柱１６４ｄ及びサイド支柱１６１ｈの間に、それぞれ設けられる。孔部１５０ｓ、孔部１５０ｔ、孔部１５０ｕ、及び孔部１５０ｖは、それぞれ並列に設けられることがより好ましい。
【００５１】
支柱部１３０は、図中では例えば、支柱部１３０ａにおいて、サイド支柱１６１ａを初めとする列と、第１中央支柱１６２ａを初めとする列と、第２中央支柱１６３ａを初めとする列と、第３中央支柱１６４ａを初めとする列と、サイド支柱１６１ｂを初めとする列との５列が存在するが、これに限定されない。すなわち、１列以上あればよく、必要な強度に応じて適宜設計を変更することができる。他の支柱部１３０ｂ、１３０ｃ及び１３０ｄにおいても同様である。
【００５２】
ここで、支柱部１３０における孔部１５０について説明する。一例として、支柱部１３０ｃを挙げるが、他の支柱部１３０についても同様である。支柱部１３０ｃには、孔部１５０ｉ、１５０ｊ、１５０ｋ、１５０ｍのそれぞれの端部が、支柱部１３０ｃの中心線から長さｄの位置に位置するように孔が形成される。
【００５３】
パネル部１４０ａ、１４０ｂ、及び１４０ｃの一部の長手方向の長さは、一例として、端部１２０ａ、１２０ｂ、支柱部１３０ａ、１３０ｂ、１３０ｃ、及び１３０ｄの長手方向の長さより短いが、これに限定されない。つまり、パネル部１４０ａ、１４０ｂ、及び１４０ｃの長手方向の長さが、支柱部１３０等の長手方向の長さと同じ長さであってもよいし、支柱部１３０等の長手方向の長さより長くてもよい。
【００５４】
第１半製品のパネル部４０ａ、４０ｂ及び４０ｃには、他の組立品や運搬する物品が戴置される。第２半製品のパネル部１４０ａ、１４０ｂ及び１４０ｃは、他の第１半製品のパネル部と接する。
【００５５】
次に、第１半製品及び第２半製品の折り畳みについて説明する。第１半製品１００が、長手方向に垂直な短手方向に沿って折り畳まれる場合、支柱部３０ａの長手方向の略中央で、短手方向に沿って折り曲げられる。ここで、支柱部３０ａの折り目となる部分を中央線と定義する。支柱部３０ａの長手方向の略中央で、短手方向に中央線に沿って、端部２０ａとパネル部４０ａとを寄せ合うように、サイド支柱６１ａ、６１ｂ及び中央支柱６２ａを、同一方向に、山折り又は谷折りに折り曲げる。また、端部２０ａ及び支柱部３０ａの境界である境界線を折り畳む。同様に、支柱部３０ａ及びパネル部４０ａの境界線を折り畳む。
【００５６】
支柱部３０ａと同様に、支柱部３０ｂについて、パネル部４０ａとパネル部４０ｂとを寄せ合うように、サイド支柱６１ｃ、６１ｄ及び中央支柱６２ｂを折り畳む。さらに同様に、支柱部３０ｃについて、パネル部４０ｂとパネル部４０ｃとを寄せ合うように、サイド支柱６１ｅ、６１ｆ及び中央支柱６２ｃを折り畳む。そして、支柱部３０ｄについて、パネル部４０ｃと端部２０ｂとを寄せ合うように、サイド支柱６１ｇ、６１ｈ及び中央支柱６２ｄを折り畳む。
【００５７】
支柱部３０ａ等を折ることで、端部２０ａ、パネル部４０ａ、４０ｂ、４０ｃ、及び端部２０ｂにより１つの平面が形成される。
【００５８】
ここで、サイド支柱及び中央支柱を折り畳む方向は、山折り又は谷折りのいずれでもよいが、支柱部３０ａ、３０ｂ、３０ｃ、及び３０ｄは、同じ方向に突出するように折ることが好ましい。
【００５９】
第２半製品が、長手方向に垂直な短手方向に沿って折り畳まれる場合、支柱部１３０ａの長手方向の略中央で、短手方向に沿って折り曲げられる。ここで、支柱部１３０ａの折り目となる部分を中央線と定義する。支柱部１３０ａの長手方向の略中央で、短手方向に中央線に沿って、端部１２０ａとパネル部１４０ａとを寄せ合うように、サイド支柱１６１ａ、１６１ｂ、第１中央支柱１６２ａ、第２中央支柱１６３ａ、及び第３中央支柱１６４ａを、同一方向に山折り又は谷折りに折り畳む。また、端部１２０ａ及び支柱部１３０ａの境界である境界線を折り畳む。同様に、支柱部１３０ａ及びパネル１４０部ａの境界線を折り畳む。
【００６０】
支柱部１３０ａと同様に、パネル部１４０ａとパネル部１４０ｂとを寄せ合うように、サイド支柱１６１ｃ、１６１ｄ、第１中央支柱１６２ｂ、第２中央支柱１６３ｂ、及び第３中央支柱１６４ｂを、同一方向に山折り又は谷折りに折り畳む。同様に、パネル部１４０ｂとパネル部１４０ｃとを寄せ合うように、サイド支柱１６１ｅ、１６１ｆ、第１中央支柱１６２ｃ、第２中央支柱１６３ｃ、及び第３中央支柱１６４ｃを、同一方向に山折り又は谷折りに折り畳む。さらに、パネル部１４０ｃと端部１２０ｂとを寄せ合うように、サイド支柱１６１ｇ、１６１ｈ、第１中央支柱１６２ｄ、第２中央支柱１６３ｄ、及び第３中央支柱１６４ｄを、同一方向に山折り又は谷折りに折り畳む。この工程では、第１半製品及び第２半製品を折り畳むだけであり、接着剤等は使用しなくてもよい。
【００６１】
支柱部１３０ａ等を折ることで、端部１２０ａ、パネル部１４０ａ、１４０ｂ、１４０ｃ、及び端部１２０ｂにより１つの平面が形成される。
【００６２】
折り畳まれた第１半製品及び第２半製品は、正面視した場合に略正方形であることが好ましい。半製品に含まれるパネル部を略正方形にすることで、接する面に対していずれの方向から力が加えられたとしても、常に同程度の摩擦力を生じさせることができる。
【００６３】
次に、第１半製品と第２半製品との係合について説明する。図５及び図６は、本発明の実施の形態の少なくとも１つに対応する、第１半製品及び第２半製品の組み合わせを説明する図である。組み立てる際には、第１半製品１００と第２半製品２００とを、互いの長手方向が略直交するように配置する。
【００６４】
次に、図６に示すように、第２半製品を折り畳むことで形成される、支柱（以下、リブともいう）を差込み可能な孔（以下、リブ差込口ともいう）と、第１半製品の折り畳まれた支柱（リブ）とを、係合させるように組み合わせる。つまり、第１半製品の折り畳まれた支柱と、第２半製品の折り畳まれた支柱とを対向させるように組み合わせることになる。
【００６５】
図７は、本発明の実施の形態の少なくとも１つに対応する、第１半製品及び第２半製品が有する切込部の係合を説明する図である。第１半製品１００が、長手方向に垂直な短手方向に沿って折り畳まれる場合、支柱部３０ｄの長手方向の略中央で、短手方向に沿って、支柱部３０ｄが折り曲げられる。ここで、この支柱部３０ｄの折り目となる部分を中央線と定義する。支柱部３０ｄには、長手方向に沿って切込部５１ｒが設けられている。切込部５１ｒは中央線を対象の軸とした線対象であり、支柱部３０ｄが折り曲げられることで、支柱部３０ｄに、切込部５１ｒの２分の１の長さを有する切込部（図７においては、切込部５１ｒとして記載する）が形成される。
【００６６】
ここで、切込部５１ｐは、サイド支柱１６１ｃが折り畳まれて形成されたリブを挟み込むように、切込部５１ｑは、サイド支柱１６１ｅが折り畳まれて形成されたリブを挟み込むように、それぞれ係合する。同様に、切込部５１ｒは、サイド支柱１６１ｇが折り畳まれて形成されたリブを挟み込むように係合する。切込部を設けることで、接着剤を使用することなく半製品同士を組み合わせることができる。さらに、サイド支柱１６１ｃ及び第１中央支柱１６２ｂの間に孔部１５０ｅが存在することで、孔部を切込部の代わりとして、孔部及び切込部が係合することで、係合強度を増すことができる。
【００６７】
図７の下図は、第１半製品及び第２半製品を係合させた状態を表す。物品を戴置可能なパネル部の厚みはｒであり、ｒは、第１半製品の厚み及び第２半製品の厚みの和である。このように、パネル部の厚みを増すことで、従来よりも耐久度の高い組立品とすることができる。
【００６８】
さらに、第１半製品のサイド支柱６１ｈを例に挙げ、係合した状態の強度について説明する。サイド支柱６１は、係合後、サイド支柱１６１ｇにより形成されたリブを挟み込むことで、図示するように、長さβの支柱を形成する。また、運搬用差込口５２ｈは折り畳まれることにより、長さαの空洞を形成することになる。ここで、運搬用差込口５２ｈが形成する長さαと、サイド支柱１６１ｇが形成する支柱の長さβとの関係は、α÷βの値が０．５〜０．９であることが好ましく、０．６〜０．８であることがさらに好ましい。このように、運搬用差込口の長さαが支柱の長さβと異なることで、パネル部に物品を戴置した場合の耐性が強化され、より強固な組立品を提供することができる。
【００６９】
続いて、組立ての仕上げである、突片部の折り畳みについて説明する。図８は、本発明の実施の形態の少なくとも１つに対応する、突片部の差込みを説明する図である。第１半製品の端部２０ａや２０ｂに設けられた突片部３１を、第２半製品が備える突片差込口１１０に向けて、つまり、図中の下側へ向けて折り曲げ、差し込む。差し込む際には、折り目線に沿って、手前から図面奥へ向けて折り込む。
【００７０】
ここで、突片部３１が突片差込口１１０よりも大きい場合には、突片部３１を折り曲げながら、折り込むことが好ましい。このようにすることで、突片部を差し込んで係止した場合に、係止部が外れ難くなり、より安定して組み合わせることができる。突片部３１は、突片部３１ａ、３１ｂ、３１ｃ、３１ｄ、３１ｅ、又は３１ｆのいずれであってもよく、係合可能であれば、突片差込口１１０は限定されない。言い換えれば、第１半製品と第２半製品とが係合可能である場合には、突片部及び突片差込部は、突片部を折り畳むことで突片差込部に差込み可能であるように設計されているともいえる。
【符号の説明】
【００７１】
１０      ：組立品
２０      ：端部
３０      ：支柱部
３１      ：突片部
３２      ：突片差込口
３３      ：運搬用差込口
４０      ：パネル部
５１      ：切込部
５２      ：運搬用差込口
６１      ：サイド支柱
６２      ：中央支柱
１００    ：第１半製品
１１０    ：突片差込口
１２０    ：端部
１３０    ：支柱部
１４０    ：パネル部
１５０    ：孔部
１６１    ：サイド支柱
１６２    ：第１中央支柱
１６３    ：第２中央支柱
１６４    ：第３中央支柱
２００    ：第２半製品
【図１】
2020111349.tif 000003
【図２】
2020111349.tif 000004
【図３】
2020111349.tif 000005
【図４】
2020111349.tif 000006
【図５】
2020111349.tif 000007
【図６】
2020111349.tif 000008
【図７】
2020111349.tif 000009
【図８】
2020111349.tif 000010